(57)【要約】      （修正有）【課題】仮想現実および拡張現実イメージングおよび可視化システムを提供する。【解決手段】いくつかの実施形態では、眼追跡が、ＡＲディスプレイシステムまたはＶＲディスプレイシステム上で使用され、ディスプレイシステムのユーザが瞬目中であるかまたは別様に見えていないかを判定する。それに応答して、ディスプレイシステムと関連付けられたディスプレイの電流ドレインまたは電力使用量が、例えば、ディスプレイと関連付けられた光源を減光もしくはオフにすることによって、または指定された数のフレームをスキップするようにグラフィックドライバを構成する、もしくは指定された期間にわたってリフレッシュレートを低減させることによって、低減されてもよい。【選択図】図８
2020109522.tif 000002
【特許請求の範囲】
【請求項１】
本明細書に記載の発明。
【発明の詳細な説明】
【技術分野】
【０００１】
（関連出願の相互参照）
本願は、２０１６年３月４日に出願された米国仮出願第６２／３０４，０９８号の利益を主張するものであり、これは、全体が参照により本明細書中に援用される。
【０００２】
（分野）
本開示は、仮想現実および拡張現実イメージングおよび可視化システムに関し、より具体的には、仮想現実および拡張現実システム内の電力管理に関する。
【背景技術】
【０００３】
（関連技術の説明）
現代のコンピューティングおよびディスプレイ技術は、いわゆる「仮想現実」または「拡張現実」体験のためのシステムの開発を促進しており、デジタル的に再現された画像またはその一部が、それらが現実であるように見える、またはそのように知覚され得る様式でユーザに提示される。仮想現実、すなわち、「ＶＲ」シナリオは、典型的には、他の実際の実世界の視覚的入力に対して透明性を伴わずに、デジタルまたは仮想画像情報の提示を伴い、拡張現実、すなわち「ＡＲ」シナリオは、典型的には、ユーザの周囲の実際の世界の可視化に対する拡張として、デジタルまたは仮想画像情報の提示を伴う。
【発明の概要】
【課題を解決するための手段】
【０００４】
本開示のシステムおよび方法は、それぞれがいくつかの革新的側面を有し、そのうちのいかなるものも、本明細書に開示される望ましい属性に単独で関与しない。種々の例示的システムおよび方法が、以下に提供される。
【０００５】
実施形態１：低減された電力使用量を伴うディスプレイシステムであって、
内向きに面したセンサと、
ディスプレイと、
内向きに面したセンサおよびディスプレイと通信している処理電子機器であって、
内向きに面したセンサを使用して、ユーザの眼のステータスにおける変化を検出することと、
ユーザの眼のステータスにおける変化が検出されたときに基づいて、ディスプレイシステムの電流ドレインを低減させることと
を行うように構成される、処理電子機器と
を備える、ディスプレイシステム。
【０００６】
実施形態２：ユーザの眼のステータスにおける変化は、瞬目（ｂｌｉｎｋ）またはサッケード（ｓａｃｃａｄｅ）である、実施形態１に記載のディスプレイシステム。
【０００７】
実施形態３：ディスプレイは、光源を備え、ディスプレイの電流ドレインを低減させることは、ディスプレイの光源を減光することを含む、実施形態１−２のいずれかに記載のディスプレイシステム。
【０００８】
実施形態４：ディスプレイは、光源を備え、ディスプレイの電流ドレインを低減させることは、光源をオフにすることを含む、実施形態１−２のいずれかに記載のディスプレイシステム。
【０００９】
実施形態５：ディスプレイの電流ドレインを低減させることは、ディスプレイによって消費される電力の量を低減させるようにディスプレイと関連付けられたグラフィックドライバを構成することを含む、実施形態１−４のいずれかに記載のディスプレイシステム。
【００１０】
実施形態６：グラフィックドライバは、指定された数のフレームをスキップするように構成され、指定された数のフレームは、眼が瞬目またはサッケードする時間の長さに基づく、実施形態５に記載のディスプレイシステム。
【００１１】
実施形態７：ディスプレイは、ＬＣＤディスプレイを備える、実施形態１−６のいずれかに記載のディスプレイシステム。
【００１２】
実施形態８：ディスプレイシステムは、拡張現実または仮想現実ディスプレイを備える、実施形態１−７のいずれかに記載のディスプレイシステム。
【００１３】
実施形態９：内向きに面したセンサは、カメラを備える、実施形態１−８のいずれかに記載のディスプレイシステム。
【００１４】
実施形態１０：内向きに面したセンサは、眼追跡カメラを備える、実施形態１−９のいずれかに記載のディスプレイシステム。
【００１５】
実施形態１１：処理電子機器は、ディスプレイと関連付けられたリフレッシュレートを低減させることによって、ディスプレイの電流ドレインを低減させるように構成される、実施形態１−１０のいずれかに記載のディスプレイシステム。
【００１６】
実施形態１２：グラフィックドライバをさらに備え、ディスプレイシステムの電流ドレインを低減させることは、グラフィックドライバの電力消費量を低減させることを含む、実施形態１−１１のいずれかに記載のディスプレイシステム。
【００１７】
実施形態１３：ディスプレイシステムの電力の使用量を低減させるための方法であって、
内向きに面したセンサを使用して、ユーザの眼のステータスにおける変化を検出するステップと、
ユーザの眼のステータスにおける変化が検出されたときに基づいて、ディスプレイシステムの電流ドレインを低減させるステップと
を含む、方法。
【００１８】
実施形態１４：ユーザの眼のステータスにおける変化は、瞬目またはサッケードである、実施形態１３に記載の方法。
【００１９】
実施形態１５：ディスプレイシステムは、光源を備え、ディスプレイシステムの電流ドレインを低減させるステップは、ディスプレイシステムの光源を減光するステップを含む、実施形態１３−１４のいずれかに記載の方法。
【００２０】
実施形態１６：ディスプレイシステムは、光源を備え、ディスプレイシステムの電流ドレインを低減させるステップは、ディスプレイの光源をシャットオフするステップを含む、実施形態１３−１４のいずれかに記載の方法。
【００２１】
実施形態１７：ディスプレイシステムの電流ドレインを低減させるステップは、ディスプレイシステムによって消費される電力の量を低減させるようにディスプレイシステムと関連付けられたグラフィックドライバを構成するステップを含む、実施形態１３−１６のいずれかに記載の方法。
【００２２】
実施形態１８：グラフィックドライバは、指定された数のフレームをスキップするように構成され、指定された数のフレームは、瞬目の長さまたは眼が見えていない時間の長さに基づく、実施形態１７に記載の方法。
【００２３】
実施形態１９：グラフィックドライバは、瞬目の長さまたは眼が見えていない時間の長さに基づく指定された期間にわたって、ディスプレイシステムによって消費される電力の量を低減させるように構成される、実施形態１７に記載の方法。
【００２４】
実施形態２０：ディスプレイシステムは、ＬＣＤディスプレイを備える、実施形態１３−１９のいずれかに記載の方法。
【００２５】
実施形態２１：ディスプレイシステムは、拡張現実または仮想現実ディスプレイを備える、実施形態１３−２０のいずれかに記載の方法。
【００２６】
実施形態２２：内向きに面したセンサは、眼追跡カメラを備える、実施形態１３−２１のいずれかに記載の方法。
【００２７】
実施形態２３：ディスプレイシステムの電流ドレインを低減させるステップは、ディスプレイと関連付けられたリフレッシュレートを低減させるステップを含む、実施形態１３−２２のいずれかに記載の方法。
【００２８】
実施形態２４：ディスプレイシステムの電流ドレインを低減させるステップは、グラフィックドライバの電力消費量を低減させるステップを含む、実施形態１３−２３のいずれかに記載の方法。
【００２９】
実施形態２５：ディスプレイシステムであって、
内向きに面したカメラと、
ディスプレイと、
内向きに面したカメラおよびディスプレイと通信しているハードウェア処理電子機器であって、
カメラを使用して、ディスプレイのユーザが瞬目中であるときを判定することと、
ユーザが瞬目中であることの判定に応答して、ディスプレイシステムの電流ドレインを低減させることと
を行うようにプログラムされる、ハードウェア処理電子機器と
を備える、ディスプレイシステム。
【００３０】
実施形態２６：ディスプレイは、光源を備え、ディスプレイの電流ドレインを低減させることは、ディスプレイの光源を減光することを含む、実施形態２５に記載のディスプレイシステム。
【００３１】
実施形態２７：光源は、バックライトを備える、実施形態２５−２６のいずれかに記載のディスプレイシステム。
【００３２】
実施形態２８：ディスプレイの電流ドレインを低減させることは、ディスプレイによって消費される電力の量を低減させるようにディスプレイと関連付けられたグラフィックドライバを構成することを含む、実施形態２５−２７のいずれかに記載のディスプレイシステム。
【００３３】
実施形態２９：グラフィックドライバは、指定された数のフレームをスキップするように構成され、指定された数のフレームは、瞬目の長さに基づく、実施形態２８に記載のディスプレイシステム。
【００３４】
実施形態３０：グラフィックドライバは、瞬目の長さに基づく指定された期間にわたって、ディスプレイによって消費される電力の量を低減させるように構成される、実施形態２８に記載のディスプレイシステム。
【００３５】
実施形態３１：ディスプレイは、ＬＣＤディスプレイを備える、実施形態２５−３０のいずれかに記載のディスプレイシステム。
【００３６】
実施形態３２：ディスプレイは、拡張現実または仮想現実ディスプレイを備える、実施形態２５−３１のいずれかに記載のディスプレイシステム。
【００３７】
実施形態３３：ディスプレイ内の電流ドレインを低減させるための方法であって、
内向きに面したカメラを使用して、ディスプレイシステムのユーザが瞬目中であるときを判定するステップと、
ユーザが瞬目中であることの判定に応答して、ディスプレイの電流ドレインを低減させるステップと
を含む、方法。
【００３８】
実施形態３４：ディスプレイは、光源を備え、ディスプレイの電流ドレインを低減させるステップは、ディスプレイの光源を減光するステップを含む、実施形態３３に記載の方法。
【００３９】
実施形態３５：光源は、バックライトを備える、実施形態３４に記載の方法。
【００４０】
実施形態３６：ディスプレイの電流ドレインを低減させるステップは、ディスプレイによって消費される電力の量を低減させるようにディスプレイと関連付けられたグラフィックドライバを構成するステップを含む、実施形態３３−３５のいずれかに記載の方法。
【００４１】
実施形態３７：グラフィックドライバは、指定された数のフレームをスキップするように構成され、指定された数のフレームは、瞬目の長さに基づく、実施形態３６に記載の方法。
【００４２】
実施形態３８：グラフィックドライバは、瞬目の長さに基づく指定された期間にわたって、ディスプレイによって消費される電力の量を低減させるように構成される、実施形態３６に記載の方法。
【００４３】
実施形態３９：ディスプレイは、ＬＣＤディスプレイを備える、実施形態３３−３８のいずれかに記載の方法。
【００４４】
実施形態４０：ディスプレイは、拡張現実または仮想現実ディスプレイを備える、実施形態３３−３９のいずれかに記載の方法。
【００４５】
実施形態４１：カメラは、眼追跡カメラを備える、実施形態３３−４０のいずれかに記載の方法。
【００４６】
実施形態４２：カメラは、眼追跡カメラを備える、実施形態２５−３２のいずれかに記載のディスプレイシステム。
【００４７】
実施形態４３：ディスプレイは、頭部搭載型ディスプレイを備える、実施形態１−１２のいずれかに記載のディスプレイシステム。
【００４８】
実施形態４４：ディスプレイをユーザの眼の正面に支持するように構成される、フレームをさらに備える、実施形態１−１２または４３のいずれかに記載のディスプレイシステム。
【００４９】
実施形態４５：ディスプレイシステムは、画像コンテンツが異なる深度に位置するようにユーザに現れるように、異なる発散量を伴って画像コンテンツをユーザに提供するように構成されるＡＲシステムまたはＶＲシステムを備える、実施形態１−１２または４３−４４のいずれかに記載のディスプレイシステム。
【００５０】
実施形態４６：ディスプレイシステムは、頭部搭載型ディスプレイを備える、実施形態１３−２３のいずれかに記載の方法。
【００５１】
実施形態４７：ディスプレイシステムはさらに、ディスプレイをユーザの眼の正面に支持するように構成される、フレームを備える、実施形態１３−２３または４６のいずれかに記載の方法。
【００５２】
実施形態４８：ディスプレイシステムは、画像コンテンツが異なる深度に位置するようにユーザに現れるように、異なる発散量を伴って画像コンテンツをユーザに提供するように構成されるＡＲシステムまたはＶＲシステムを備える、実施形態１３−２３または４６−４７のいずれかに記載の方法。
本発明は、例えば、以下を提供する。
（項目１）
低減された電力使用量を伴うディスプレイシステムであって、
内向きに面したセンサと、
ディスプレイと、
前記内向きに面したセンサおよび前記ディスプレイと通信している処理電子機器であって、前記処理電子機器は、
前記内向きに面したセンサを使用して、ユーザの眼のステータスにおける変化を検出することと、
前記ユーザの眼のステータスにおける変化が検出されたときに基づいて、前記ディスプレイシステムの電流ドレインを低減させることと
を行うように構成される、処理電子機器と
を備える、ディスプレイシステム。
（項目２）
前記ユーザの眼のステータスにおける変化は、瞬目またはサッケードである、項目１に記載のディスプレイシステム。
（項目３）
前記ディスプレイは、光源を備え、前記ディスプレイの電流ドレインを低減させることは、前記ディスプレイの光源を減光することを含む、項目１に記載のディスプレイシステム。
（項目４）
前記ディスプレイは、光源を備え、前記ディスプレイの電流ドレインを低減させることは、光源をオフにすることを含む、項目１に記載のディスプレイシステム。
（項目５）
前記ディスプレイの電流ドレインを低減させることは、前記ディスプレイによって消費される電力の量を低減させるように前記ディスプレイと関連付けられたグラフィックドライバを構成することを含む、項目１に記載のディスプレイシステム。
（項目６）
前記グラフィックドライバは、指定された数のフレームをスキップするように構成され、前記指定された数のフレームは、前記眼が瞬目またはサッケードする時間の長さに基づく、項目５に記載のディスプレイシステム。
（項目７）
前記ディスプレイは、ＬＣＤディスプレイを備える、項目１に記載のディスプレイシステム。
（項目８）
前記内向きに面したセンサは、カメラを備える、項目１に記載のディスプレイシステム。
（項目９）
前記処理電子機器は、前記ディスプレイと関連付けられたリフレッシュレートを低減させることによって、前記ディスプレイの電流ドレインを低減させるように構成される、項目１に記載のディスプレイシステム。
（項目１０）
グラフィックドライバをさらに備え、前記ディスプレイシステムの電流ドレインを低減させることは、グラフィックドライバの電力消費量を低減させることを含む、項目１に記載のディスプレイシステム。
（項目１１）
ディスプレイシステムの電力の使用量を低減させるための方法であって、
内向きに面したセンサを使用して、ユーザの眼のステータスにおける変化を検出するステップと、
前記ユーザの眼のステータスにおける変化が検出されたときに基づいて、前記ディスプレイシステムの電流ドレインを低減させるステップと
を含む、方法。
（項目１２）
前記ユーザの眼のステータスにおける変化は、瞬目またはサッケードである、項目１１に記載の方法。
（項目１３）
前記ディスプレイシステムは、光源を備え、前記ディスプレイシステムの電流ドレインを低減させるステップは、前記ディスプレイシステムの光源を減光するステップを含む、項目１１に記載の方法。
（項目１４）
前記ディスプレイシステムは、光源を備え、前記ディスプレイシステムの電流ドレインを低減させるステップは、前記ディスプレイシステムの光源をシャットオフするステップを含む、項目１１に記載の方法。
（項目１５）
前記ディスプレイシステムの電流ドレインを低減させるステップは、前記ディスプレイシステムによって消費される電力の量を低減させるように前記ディスプレイシステムと関連付けられたグラフィックドライバを構成するステップを含む、項目１１に記載の方法。
（項目１６）
前記グラフィックドライバは、指定された数のフレームをスキップするように構成され、前記指定された数のフレームは、瞬目の長さまたは前記眼が見えていない時間の長さに基づく、項目１５に記載の方法。
（項目１７）
前記グラフィックドライバは、瞬目の長さまたは前記眼が見えていない時間の長さに基づく指定された期間にわたって、前記ディスプレイシステムによって消費される電力の量を低減させるように構成される、項目１５に記載の方法。
（項目１８）
前記ディスプレイシステムは、ＬＣＤディスプレイを備える、項目１１に記載の方法。
（項目１９）
前記ディスプレイシステムの電流ドレインを低減させるステップは、前記ディスプレイと関連付けられたリフレッシュレートを低減させるステップ含む、項目１１に記載の方法。
（項目２０）
前記ディスプレイシステムの電流ドレインを低減させるステップは、グラフィックドライバの電力消費量を低減させるステップを含む、項目１１に記載の方法。
【図面の簡単な説明】
【００５３】
【図１】図１は、ＡＲデバイスを通した拡張現実（ＡＲ）のユーザのビューを図示する。
【００５４】
【図２】図２は、ウェアラブルディスプレイシステムの実施例を図示する。
【００５５】
【図３】図３は、ユーザのための３次元画像をシミュレートするための従来のディスプレイシステムを図示する。
【００５６】
【図４】図４は、複数の深度平面を使用して３次元画像をシミュレートするためのアプローチの側面を図示する。
【００５７】
【図５】図５Ａ−５Ｃは、曲率半径と焦点半径との間の関係を図示する。
【００５８】
【図６】図６は、画像情報をユーザに出力するための導波管スタックの実施例を図示する。
【００５９】
【図７】図７は、導波管によって出力された出射ビームの実施例を図示する。
【００６０】
【図８】図８は、ディスプレイシステムの電流ドレインを低減させるためのプロセスのフローチャートを図示する。
【００６１】
図面は、例示的実施形態を図示するために提供され、本開示の範囲を限定することを意図するものではないことを理解されたい。同様の参照番号は、全体を通して同様の特徴を指す。
【発明を実施するための形態】
【００６２】
（例示的ディスプレイシステム）
図１を参照すると、拡張現実場面１００が、描写される。現代のコンピューティングおよびディスプレイ技術は、いわゆる「仮想現実」または「拡張現実」体験のためのシステムの開発を促進しており、デジタル的に再現された画像またはその一部が、現実であるように見える、もしくはそのように知覚され得る様式でユーザに提示されることを理解されたい。仮想現実または「ＶＲ」シナリオは、典型的には、他の実際の実世界の視覚的入力に対する透明性を伴わずに、デジタルまたは仮想画像情報の提示を伴い、拡張現実または「ＡＲ」シナリオは、典型的には、ユーザの周囲の実際の世界の可視化に対する拡張としてのデジタルまたは仮想画像情報の提示を伴う。図１は、ＡＲ技術のユーザに、背景における人々、木々、建物を特徴とする実世界公園状設定１１０と、コンクリートプラットフォーム１２０とが見える、そのような場面の実施例を示す。これらのアイテムに加え、ＡＲ技術のユーザはまた、実世界プラットフォーム１２０上に立っているロボット像１３０と、マルハナバチの擬人化のように見える、飛んでいる漫画のようなアバタキャラクタ１４０とを「見ている」と知覚するが、これらの要素１３０、１５０は、実世界には存在しない。ヒトの視知覚系は、複雑であって、他の仮想または実世界画像要素間における仮想画像要素の快適で、自然のような感覚で、かつ豊かな提示を促進する、ＶＲ技術またはＡＲ技術の生成は、困難である。
【００６３】
図２は、ウェアラブルディスプレイシステム２００の実施例を図示する。ディスプレイシステム２００は、ディスプレイ２０８と、そのディスプレイ２０８の機能をサポートするための種々の機械的および電子モジュールならびにシステムとを含む。ディスプレイ２０８は、フレーム２１２に結合されてもよく、これは、ディスプレイシステムユーザまたは視認者２０１によって装着可能であって、ディスプレイ２０８をユーザ２０１の眼の正面に位置付けるように構成される。ディスプレイ２０８は、いくつかの実施形態では、アイウェアと見なされてもよい。いくつかの実施形態では、スピーカ２１６が、フレーム２１２に結合され、ユーザ２０１の外耳道に隣接して位置付けられる（いくつかの実施形態では、示されない別のスピーカが、ユーザの他方の外耳道に隣接して位置付けられ、ステレオ／成形可能音制御を提供する）。いくつかの実施形態では、ディスプレイシステムはまた、１つまたはそれを上回るマイクロホン（図示せず）または他のデバイスを含み、音を検出してもよい。いくつかの実施形態では、マイクロホンは、ユーザが、入力またはコマンドをシステム２００に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。
【００６４】
図２を継続して参照すると、ディスプレイ２０８は、有線導線または無線コネクティビティ等によって、ローカルデータ処理モジュール２２４に動作可能に結合され、これは、フレーム２１２に固定して取り付けられる、ユーザによって装着されるヘルメットまたは帽子に固定して取り付けられる、ヘッドホン内に埋設される、または別様にユーザ２０１に除去可能に取り付けられる（例えば、リュック式構成、ベルト結合式構成において）等、種々の構成で搭載されてもよい。ローカル処理およびデータモジュール２２４は、ハードウェアプロセッサまたは処理電子機器もしくは回路ならびに不揮発性メモリ（例えば、フラッシュメモリまたはハードディスクドライブ）等のデジタルメモリを備えてもよく、両方とも、データの処理、キャッシュ、および記憶を補助するために利用されてもよい。データは、ａ）画像捕捉デバイス（カメラ等）、マイクロホン、慣性測定ユニット、加速度計、コンパス、ＧＰＳユニット、無線デバイス、および／またはジャイロスコープ等のセンサ（例えば、フレーム２１２に動作可能に結合される、または別様にユーザ２０１に取り付けられ得る）から捕捉された、および／またはｂ）可能性として処理または読出後にディスプレイ２０８への通過のための遠隔処理モジュール２２８および／または遠隔データリポジトリ２３２を使用して取得および／または処理された、データを含む。ローカル処理およびデータモジュール２２４は、これらの遠隔モジュール２２８、２３２が相互に動作可能に結合され、ローカル処理およびデータモジュール２２４に対するリソースとして利用可能であるように、有線または無線通信リンクを介して等、通信リンク２３６、２４０によって、遠隔処理モジュール２２８および遠隔データリポジトリ２３２に動作可能に結合されてもよい。いくつかの実施形態では、場所処理およびデータモジュール２２４は、画像捕捉デバイス、マイクロホン、慣性測定ユニット、加速度計、コンパス、ＧＰＳユニット、無線デバイス、および／またはジャイロスコープのうちの１つまたはそれを上回るものを含んでもよい。いくつかの他の実施形態では、これらのセンサのうちの１つもしくはそれを上回るものは、フレーム２１２に取り付けられてもよい、または有線もしくは無線通信経路によってローカル処理およびデータモジュール２２４と通信している独立構造であってもよい。
【００６５】
図２を継続して参照すると、いくつかの実施形態では、遠隔処理モジュール２２８は、データおよび／または画像情報を分析ならびに処理するように構成される、１つまたはそれを上回るプロセッサもしくは処理電子機器もしくは回路を備えてもよい。いくつかの実施形態では、遠隔データリポジトリ２３２は、インターネットまたは「クラウド」リソース構成における他のネットワーキング構成を通して利用可能であり得る、デジタルデータ記憶設備を備えてもよい。いくつかの実施形態では、遠隔データリポジトリ２３２は、情報、例えば、拡張現実コンテンツを生成するための情報をローカル処理およびデータモジュール２２４および／または遠隔処理モジュール２２８に提供する、１つまたはそれを上回る遠隔サーバを含んでもよい。いくつかの実施形態では、全てのデータが、記憶され、全ての計算は、ローカル処理およびデータモジュール内で行われ、遠隔モジュールからの完全に自律的な使用を可能にする。
【００６６】
「３次元」または「３−Ｄ」としての画像の知覚は、視認者の各眼への画像の若干異なる提示を提供することによって達成され得る。図３は、ユーザに関する３次元画像をシミュレートするための従来のディスプレイシステムを図示する。（眼３０２、３０４毎に１つの）２つの明確に異なる画像３０６、３０８が、ユーザに出力される。画像３０６、３０８は、視認者の視線と平行な光学軸またはｚ−軸に沿って距離３１０だけ眼３０２、３０４から離間される。画像３０６、３０８は、平坦であって、眼３０２、３０４は、単一の遠近調節された状態をとることによって、画像上に合焦し得る。そのようなシステムは、ヒト視覚系に依拠し、画像３０６、３０８を組み合わせ、組み合わせられた画像の深度の知覚を提供する。
【００６７】
しかしながら、ヒト視覚系は、より複雑であって、深度の現実的知覚を提供することは、より困難であることを理解されたい。例えば、理論によって限定されるわけではないが、オブジェクトの視認者は、輻輳・開散運動（ｖｅｒｇｅｎｃｅ）および遠近調節（ａｃｃｏｍｍｏｄａｔｉｏｎ）の組み合わせに起因して、オブジェクトを「３次元」として知覚し得ると考えられる。相互に対する２つの眼の輻輳・開散運動の移動（すなわち、眼の視線を収束させ、オブジェクトに固定させるための相互に向かった、またはそこから離れる瞳孔の転動移動）は、眼の水晶体を集束させること（または「遠近調節」）と密接に関連付けられる。通常条件下では、１つのオブジェクトから異なる距離における別のオブジェクトに減衰を偏移させるとき、眼の輻輳・開散運動の変化は、「遠近調節−輻輳・開散運動反射」として知られる関係下、眼の水晶体の集束または眼の遠近調節における整合的変化を自動的に生じさせるであろう。同様に、遠近調節における変化は、正常条件下では、輻輳・開散運動における整合的変化を誘起するであろう。本明細書に記載されるように、多くの立体視または「３−Ｄ」ディスプレイシステムは、３次元視点がヒト視覚系によって知覚されるように、各眼への若干異なる提示（したがって、若干異なる画像）を使用して、場面を表示する。しかしながら、そのようなシステムは、とりわけ、単に、場面の異なる提示を提供するが、眼が全画像情報を単一の遠近調節された状態において視認すると、「遠近調節−輻輳・開散運動反射」に対抗して機能するため、多くの視認者にとって不快であり得る。遠近調節と輻輳・開散運動との間のより優れた整合を提供するディスプレイシステムは、３次元画像のより現実的かつ快適なシミュレーションを形成し得る。
【００６８】
図４は、複数の深度平面を使用して３次元画像をシミュレートするためのアプローチの側面を図示する。ｚ−軸上の眼３０２、３０４からの種々の距離におけるオブジェクトは、それらのオブジェクトが合焦するように、眼３０２、３０４によって遠近調節される。眼（３０２および３０４）は、特定の遠近調節された状態をとり、ｚ−軸に沿って異なる距離においてオブジェクトに合焦させる。その結果、特定の遠近調節された状態は、特定の深度平面におけるオブジェクトまたはオブジェクトの一部が、眼がその深度平面のための遠近調節された状態にあるとき合焦するように、関連付けられた焦点距離を有する、深度平面４０２のうちの特定の１つと関連付けられると言え得る。いくつかの実施形態では、３次元画像は、眼３０２、３０４毎に画像の異なる提示を提供することによって、また、深度平面のそれぞれに対応する画像の異なる提示を提供することによってシミュレートされてもよい。例証を明確にするために、別個であるように示されるが、眼３０２、３０４の視野は、例えば、ｚ−軸に沿った距離が増加するにつれて重複し得ることを理解されたい。加えて、例証を容易にするために、平坦として示されるが、深度平面の輪郭は、深度平面内の全ての特徴が特定の遠近調節された状態における眼と合焦するように、物理的空間内で湾曲され得ることを理解されたい。
【００６９】
オブジェクトと眼３０２または３０４との間の距離はまた、その眼によって視認されるようなそのオブジェクトからの光の発散の量を変化させることができる。図５Ａ−５Ｃは、距離と光線の発散との間の関係を図示する。オブジェクトと眼３０２との間の距離は、減少距離Ｒ１、Ｒ２、およびＲ３の順序で表される。図５Ａ−５Ｃに示されるように、光線は、オブジェクトまでの距離が減少するにつれてより発散する。距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率は、オブジェクトと眼３０２との間の距離の減少に伴って増加する。その結果、異なる深度平面では、光線の発散度もまた、異なり、発散度は、深度平面と視認者の眼３０２との間の距離の減少に伴って増加する。単眼３０２のみが、例証を明確にするために、図５Ａ−５Ｃおよび本明細書の他の図に図示されるが、眼３０２に関する議論は、視認者の両眼３０２および３０４に適用され得ることを理解されたい。
【００７０】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。異なる提示は、視認者の眼によって別個に集束され、それによって、異なる深度平面上に位置する場面のための異なる画像特徴に合焦させるために要求される眼の遠近調節に基づいて、および／または焦点がずれている異なる深度平面上の異なる画像特徴の観察に基づいて、ユーザに深度キューを提供することに役立ててもよい。
【００７１】
図６は、画像情報をユーザに出力するための導波管スタックの実施例を図示する。ディスプレイシステム６００は、複数の導波管６２０、６２２、６２４、６２６、６２８を使用して３次元知覚を眼／脳に提供するために利用され得る、導波管のスタックまたはスタックされた導波管アセンブリ６０５を含む。いくつかの実施形態では、ディスプレイシステム６００は、図２のシステム２００であって、図６は、そのシステム２００のいくつかの部分をより詳細に図式的に示す。例えば、導波管アセンブリ６０５は、図２のディスプレイ２０８の一部であってもよい。
【００７２】
図６を継続して参照すると、導波管アセンブリ１２４０はまた、複数の特徴６３０、６３２、６３４、６３６を導波管間に含んでもよい。いくつかの実施形態では、特徴６３０、６３２、６３４、６３６は、レンズであってもよい。導波管６２０、６２２、６２４、６２６、６２８および／または複数のレンズ６３０、６３２、６３４、６３６は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス６４０、６４２、６４４、６４６、６４８は、導波管のための光源として機能してもよく、画像情報を導波管６２０、６２２、６２４、６２６、６２８の中に投入するために利用されてもよく、それぞれ、本明細書に説明されるように、眼３０２に向かって出力のために各個別の導波管を横断して入射光を分散させるように構成されてもよい。異なる源を使用することによって、光源自体が、所望に応じて、深度平面毎に照明をオンまたはオフに切り替えることによって、深度平面を切り替えするように作用する。光は、画像投入デバイス６４０、６４２、６４４、６４６、６４８の出力表面６５０、６５２、６５４、６５６、６５８から出射し、導波管６２０、６２２、６２４、６２６、６２８の対応する入力表面６７０、６７２、６７４、６７６、６７８の中に投入される。いくつかの実施形態では、入力表面６７０、６７２、６７４、６７６、６７８はそれぞれ、対応する導波管の縁であってもよい、または対応する導波管の主要表面の一部（すなわち、世界６１０または視認者の眼３０２に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼３０２に向かって指向される。いくつかの実施形態では、画像投入デバイス６４０、６４２、６４４、６４６、６４８のうちの単一の１つは、複数（例えば、３つ）の導波管６２０、６２２、６２４、６２６、６２８と関連付けられ、その中に光を投入してもよい。
【００７３】
いくつかの実施形態では、画像投入デバイス６４０、６４２、６４４、６４６、６４８はそれぞれ、それぞれ対応する導波管６２０、６２２、６２４、６２６、６２８の中への投入のために画像情報を生成する、離散ディスプレイである。いくつかの他の実施形態では、例えば、画像投入デバイス６４０、６４２、６４４、６４６、６４８は、走査ファイバまたは走査ファイバディスプレイデバイスを備える。いくつかの他の実施形態では、画像投入デバイス６４０、６４２、６４４、６４６、６４８は、例えば、画像情報を１つまたはそれを上回る光学導管（光ファイバケーブル等）を介して画像投入デバイス６４０、６４２、６４４、６４６、６４８のそれぞれに送り得る、単一の多重化されたディスプレイの出力端である。画像投入デバイス６４０、６４２、６４４、６４６、６４８によって提供される画像情報は、異なる波長または色（例えば、異なる原色）の光を含んでもよいことを理解されたい。
【００７４】
いくつかの実施形態では、導波管６２０、６２２、６２４、６２６、６２８の中に投入される光は、バックライト６１４ｂ等の光源を含み得る、光出力モジュール６１４によって提供される。バックライト６１４ｂは、１つまたはそれを上回る発光ダイオード（ＬＥＤ）等の１つまたはそれを上回るエミッタを備えてもよい。バックライト６１４ｂからの光は、光変調器６１４ａ、例えば、空間光変調器によって修正されてもよい。光変調器６１４ａは、導波管６２０、６２２、６２４、６２６、６２８の中に投入された光の知覚される強度を変化させるように構成されてもよい。空間光変調器の実施例は、液晶ディスプレイ（ＬＣＤ）およびデジタル光処理（ＤＬＰ）ディスプレイを含む。いくつかの実施形態では、光出力モジュールは、エミッタからの光を光変調器６１４ａに出力するように構成される（例えば、光を伝送および／または反射させることによって）、１つまたはそれを上回る光ガイド、光パ一方、または反射体を含んでもよい。
【００７５】
コントローラ６１２は、画像投入デバイス６４０、６４２、６４４、６４６、６４８、光エミッタ６１４ｂ、および／または光変調器６１４ａの動作を含む、スタックされた導波管アセンブリ１２４０の１つまたはそれを上回るものの動作を制御する。いくつかの実施形態では、コントローラ６１２は、ローカルデータ処理モジュール２２４の一部である。コントローラ６１２は、例えば、本明細書に開示される種々のスキームのいずれかに従って、導波管６２０、６２２、６２４、６２６、６２８への画像情報のタイミングおよびプロビジョニングを調整する、プログラミング（例えば、非一過性媒体内の命令）を含む。いくつかの実施形態では、コントローラ６１２は、ユーザの眼を撮像する、１つまたはそれを上回るカメラもしくはセンサ（例えば、内向きに面したカメラ）の動作および／またはそこから受信される入力を制御するように構成されてもよく、光エミッタ６１４ｂおよび／または光変調器６１４ａの動作は、少なくとも部分的に、眼の画像および／または眼が瞬目または移動中であるときの判定等の関連付けられた画像データに基づいてもよい。いくつかの実施形態では、コントローラは、単一の一体型デバイスまたは有線もしくは無線通信チャネルによって接続される分散型システムであってもよい。コントローラ６１２は、いくつかの実施形態では、処理モジュールまたは電子機器２２４もしくは２２８（図２）および／または他の処理電子機器ならびに回路の一部であってもよい。
【００７６】
図６を継続して参照すると、導波管６２０、６２２、６２４、６２６、６２８、１９０は、全内部反射（ＴＩＲ）によって各個別の導波管内で光を伝搬するように構成されてもよい。導波管６２０、６２２、６２４、６２６、６２８はそれぞれ、主要な上部および底部表面ならびにそれらの主要上部表面と底部表面との間に延在する縁を伴う、平面である、または別の形状（例えば、湾曲）を有してもよい。図示される構成では、導波管６２０、６２２、６２４、６２６、６２８はそれぞれ、各個別の導波管内で伝搬する光を導波管から再指向し、画像情報を眼４に出力することによって、光を導波管から抽出するように構成される、外部結合光学要素６６０、６６２、６６４、６６６、６２８を含んでもよい。抽出された光はまた、外部結合光と称され得、外部結合光学要素はまた、光抽出光学要素と称され得る。抽出された光のビームは、導波管によって、導波管内を伝搬する光が光抽出光学要素に衝打する場所において出力され得る。外部結合光学要素６６０、６６２、６６４、６６６、６２８は、例えば、本明細書にさらに議論されるような回折光学特徴を含む、格子であってもよい。説明の容易性および図面の明確性のために、導波管６２０、６２２、６２４、６２６、６２８の底部主要表面に配置されるように図示されるが、いくつかの実施形態では、外部結合光学要素６６０、６６２、６６４、６６６、６２８は、本明細書にさらに議論されるように、上部および／または底部主要表面に配置されてもよい、ならびに／もしくは導波管６２０、６２２、６２４、６２６、６２８の体積内に直接配置されてもよい。いくつかの実施形態では、外部結合光学要素６６０、６６２、６６４、６６６、６２８は、透明基板に取り付けられ、導波管６２０、６２２、６２４、６２６、６２８を形成する、材料の層内に形成されてもよい。いくつかの他の実施形態では、導波管６２０、６２２、６２４、６２６、６２８は、材料のモノリシック部品であってもよく、外部結合光学要素６６０、６６２、６６４、６６６、６２８は、材料のその部品の表面上および／またはその内部に形成されてもよい。
【００７７】
図６を継続して参照すると、本明細書に議論されるように、各導波管６２０、６２２、６２４、６２６、６２８は、光を出力し、特定の深度平面に対応する画像を形成するように構成される。例えば、眼の最近傍の導波管６２０は、そのような導波管６２０の中に投入されるにつれて、眼３０２にコリメートされた光を送達するように構成されてもよい。コリメートされた光は、光学無限遠焦点面を表し得る。次の上方の導波管６２２は、眼３０２に到達し得る前に、第１のレンズ６３０（例えば、負のレンズ）を通して通過する、コリメートされた光を送出するように構成されてもよい。そのような第１のレンズ６３０は、眼／脳が、その次の上方の導波管６２２から生じる光を光学無限遠から眼３０２に向かって内向きにより近い第１の焦点面から生じるように解釈するように、若干の凸面波面曲率を生成するように構成されてもよい。同様に、第３の上方の導波管６２４は、眼３０２に到達する前に、その出力光を第１のレンズ６３０および第２のレンズ６３２の両方を通して通過させる。第１のレンズ６３０および第２のレンズ６３２の組み合わせられた屈折力は、眼／脳が、第３の導波管６２４から生じる光が次の上方の導波管６２２からの光であったよりも光学無限遠から人物に向かって内向きにさらに近い第２の焦点面から生じるように解釈するように、別の漸増量の波面曲率を生成するように構成されてもよい。
【００７８】
他の導波管層６２６、６２８およびレンズ６３４、６３６も同様に構成され、スタック内の最高導波管６２８は、人物に最も近い焦点面を表す集約焦点力のために、その出力をそれと眼との間のレンズの全てを通して送出する。スタックされた導波管アセンブリ６０５の他側の世界６１０から生じる光を視認／解釈するとき、レンズ６３０、６３２、６３４、６３６のスタックを補償するために、補償レンズ層６３８が、スタックの上部に配置され、下方のレンズスタック６３０、６３２、６３４、６３６の集約力を補償してもよい。そのような構成は、利用可能な導波管／レンズ対と同じ数の知覚される焦点面を提供する。導波管の外部結合光学要素およびレンズの集束側面の両方とも、静的であってもよい（すなわち、動的または電気活性ではない）。いくつかの代替実施形態では、一方または両方とも、電気活性特徴を使用して動的であってもよい。
【００７９】
いくつかの実施形態では、導波管６２０、６２２、６２４、６２６、６２８のうちの２つまたはそれを上回るものは、同一の関連付けられた深度平面を有してもよい。例えば、複数の導波管６２０、６２２、６２４、６２６、６２８が、同一深度平面に設定される画像を出力するように構成されてもよい、または導波管６２０、６２２、６２４、６２６、６２８の複数のサブセットが、深度平面毎に１つのセットを伴う、同一の複数の深度平面に設定される画像を出力するように構成されてもよい。これは、それらの深度平面において拡張された視野を提供するようにタイル化された画像を形成する利点を提供することができる。
【００８０】
図６を継続して参照すると、外部結合光学要素６６０、６６２、６６４、６６６、６２８は、導波管と関連付けられた特定の深度平面のために、光をその個別の導波管から再指向することと、本光を適切な量の発散またはコリメーションを伴って出力することとの両方を行うように構成されてもよい。その結果、異なる関連付けられた深度平面を有する導波管は、外部結合光学要素６６０、６６２、６６４、６６６、６２８の異なる構成を有してもよく、これは、関連付けられた深度平面に応じて、異なる量の発散を伴う光を出力する。いくつかの実施形態では、光抽出光学要素６６０、６６２、６６４、６６６、６２８は、立体または表面特徴であってもよく、これは、具体的角度において光を出力するように構成されてもよい。例えば、光抽出光学要素６６０、６６２、６６４、６６６、６２８は、体積ホログラム、表面ホログラム、および／または回折格子であってもよい。いくつかの実施形態では、特徴６３０、６３２、６３４、６３６は、レンズではなくてもよい。むしろ、それらは、単に、スペーサ（例えば、クラッディング層および／または空隙を形成するための構造）であってもよい。
【００８１】
いくつかの実施形態では、外部結合光学要素６６０、６６２、６６４、６６６、６２８は、回折パターンまたは「回折光学要素」（また、本明細書では、「ＤＯＥ」とも称される）を形成する、回折特徴である。種々の実施形態では、ＤＯＥは、ビームの光の一部のみがＤＯＥの各交差点を用いて眼３０２に向かって偏向される一方、残りが全内部反射を介して導波管を通して移動し続けるように、十分に低回折効率を有する。画像情報を搬送する光は、したがって、様々な場所において導波管から出射するいくつかの関連出射ビームに分割され、その結果、導波管内でバウンスする本特定のコリメートされたビームに関して、眼３０２に向かって非常に均一なパターンの出射放出となる。
【００８２】
いくつかの実施形態では、１つまたはそれを上回るＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられることができる（その場合、パターンは、入射光を著しく回折させない）、または微小液滴は、ホスト媒体のものに整合しない屈折率に切り替えられることができる（その場合、パターンは、入射光を能動的に回折させる）。
【００８３】
図７は、導波管によって出力された出射ビームの実施例を示す。１つの導波管が図示されるが、導波管アセンブリ６０５内の他の導波管も同様に機能し得、導波管アセンブリ６０５は、複数の導波管を含むことを理解されたい。光７００が、導波管６２０の入力表面６７０において導波管６２０の中に投入され、ＴＩＲによって導波管６２０内を伝搬する。光７００がＤＯＥ６６０上に衝突する点では、光の一部は、導波管から出射ビーム７０２として出射する。出射ビーム７は、略平行として図示されるが、本明細書に議論されるように、また、導波管６２０と関連付けられた深度平面に応じて、ある角度（例えば、発散出射ビームを形成する）において眼３０２に伝搬するように再指向されてもよい。略平行出射ビームは、眼３０２からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼３０２がより近い距離に遠近調節し、網膜に合焦させることを要求し、光学無限遠より眼３０２に近い距離からの光として脳によって解釈されるであろう。
【００８４】
（電流ドレインの低減）
いくつかの実施形態では、前述のようなディスプレイシステム６００は、バッテリによって給電されてもよい。電流ドレイン低減または電力低減は、バッテリからのより長いランタイムを提供するために、またはデバイスの加熱を低減させるために望ましくあり得る。いくつかの実施形態では、ディスプレイシステム２００内の電流は、ディスプレイシステム６２０のディスプレイを点灯するために引き込まれ得る（例えば、バックライト６１４ｂ、可能性として、１つまたはそれを上回る走査ファイバもしくは走査ファイバディスプレイデバイス等の画像投入デバイス６４０、６４２、６４４、６４６、６４８を使用して）。加えて、電流は、ディスプレイ（例えば、コントローラ６１２のグラフィックプロセッサまたはドライバ）を制御するためにも採用される。
【００８５】
本明細書に説明されるように、ある電流ドレイン低減または電力低減が、例えば、ディスプレイを減光またはオフにする（例えば、ディスプレイバックライトを減光またはオフにする）、ディスプレイ更新またはリフレッシュレートを低減させる、またはユーザ相互作用の欠如に基づいて、あるタイムアウト期間後、ディスプレイを減光もしくはシャットオフすることによって、達成されることができる。
【００８６】
本明細書に説明されるような拡張現実または仮想現実デバイスのいくつかの実施形態では、カメラ（または他の方法）が、眼移動を追跡するために使用されてもよい。ディスプレイシステム６００は、ユーザの顔に対して内向きに、特に、ユーザの眼（例えば、眼３０２）に向かって指向される、内向きに面したカメラ６１６を備えてもよい。ある場合には、本眼追跡は、例えば、ディスプレイシステム６００によって表示されているビューを調節するために行われてもよい。例えば、カメラ６１６は、眼３０２の画像を捕捉するために使用されてもよく、そこから眼の瞳孔または虹彩の状態または位置が、追跡されることができる。眼の瞳孔または虹彩の状態または位置は、デバイスのユーザが見ている場所を判定し、ディスプレイが適宜調節されることを可能にするために使用されてもよい。
【００８７】
いくつかの実施形態では、眼追跡は、ユーザの眼がユーザが一時的に見えていない状態にあるかどうかを判定するために使用されることができる。例えば、ユーザは、ユーザが瞬目中であるとき、見えていない場合がある。加えて、ユーザは、ユーザの眼がサッケード（例えば、凝視点間の眼の高速移動）を受けているとき、見えていない場合がある。
【００８８】
いくつかの実施形態では、眼追跡カメラまたは内向きに面したカメラ（または他のセンサもしくはセンサシステム）が、ユーザの瞳孔または虹彩が部分的または完全にビューからブロックされているかどうかを判定することによって、ユーザが瞬目中であるかどうかを判定するために使用されることができる。例えば、カメラは、ユーザの眼の虹彩を背景（例えば、ユーザの白眼）内の暗色円形として追跡してもよい。代替として、カメラは、ユーザの瞳孔を虹彩内のより暗色の円形として追跡してもよい。ユーザが瞬目中であるとき、虹彩または瞳孔によって画定された円形の一部または全部は、覆隠または断絶され得る。コントローラ６１２は、ユーザの虹彩または瞳孔に対応する円形パターンが部分的または全体的に欠落していることに応答して、瞬目を「グラフィック的に」検出してもよい。例えば、いくつかの実施形態では、円形パターンが可視である量が、閾値に対して比較されてもよく、可視（例えば、円形）パターンの量が閾値を満たさない場合、ユーザは、瞬目中であると判定される。いくつかの実施形態では、閾値は、ユーザ試験に基づいて、事前に構成されてもよい。
【００８９】
いくつかの実施形態では、コントローラ６１２は、カメラ６１６のビューから計算されるコントラストの量に基づいて、ユーザが瞬目中であるかどうかを検出してもよい。例えば、コントラストが閾値を満たすかどうかに関して、判定が行われてもよい。いくつかの実施形態では、ユーザの眼が開放され、ユーザの虹彩または瞳孔が可視であるとき、（例えば、眼または眼および眼瞼の組み合わせから）反射され、カメラによって捕捉された画像内には、高コントラスト量が存在し得る。一方、ユーザの眼が閉鎖される（例えば、ユーザの眼瞼が眼を被覆する）と、コントラスト量は、ユーザの眼が開放（例えば、少なくとも部分的に開放）されるときと比較してはるかに低くなり得る。したがって、コントローラ６１２は、コントラストが閾値より低いとき、瞬目を検出し得る。
【００９０】
いくつかの実施形態では、コントローラ６１２が、ユーザの虹彩または瞳孔の位置を検出不能である場合がある。例えば、コントローラ６１２は、ユーザの虹彩または瞳孔が検出されることができない場合、「エラー」状態を生成してもよく、これもまた、瞬目検出としての役割を果たし得る。
【００９１】
いくつかの実施形態では、コントローラ６１２は、ユーザによるサッケードを検出してもよい。ユーザの眼が、サッケードの状態にあるとき、ユーザは、ユーザの眼が開放しているにもかかわらず、任意の視覚的情報を知覚しない場合がある。いくつかの実施形態では、コントローラ６１２は、内向きに面したカメラ６１６を使用して、ユーザの虹彩または瞳孔の場所（例えば、前述のように、暗色円形として）を追跡することによって、サッケードを検出してもよい。あるレートを上回るユーザの虹彩または瞳孔の移動が、検出される場合、ユーザは、サッケード状態にあると見なされ得る。
【００９２】
いくつかの実施形態では、瞬目またはサッケードの期間は、所定の期間であってもよい。所定の期間は、ユーザ研究からの実験的データに基づいて判定されてもよい。いくつかの実施形態では、瞬目またはサッケードの期間は、前述のように、眼開放／閉鎖基準または眼移動基準に基づいて、ディスプレイシステム６００の１つまたはそれを上回るセンサ（例えば、内向きに面したカメラ６１６）によって測定されてもよい。眼が、閉鎖されている、またはある期間にわたってサッケードを被っている場合、システムは、より低いエネルギー状態に設定され、電力を節約してもよい。
【００９３】
前述の議論は、主に、カメラを使用して、ユーザが見えていない（例えば、瞬目またはサッケードに起因して）状態を判定することに言及するが、ユーザの眼の状態を検出するために使用され得る、他のタイプのセンサシステム等、任意のタイプのハードウェアが、使用されてもよい。ある場合には、新しいハードウェアの追加によって消費されるであろう電力消費を低減させるために、ディスプレイシステム６００とすでに統合されているハードウェア（例えば、ディスプレイシステム６００内で他の目的を果たすために設計されるハードウェア）を利用することが望ましくあり得る。カメラまたは他のタイプのセンサシステムは、可視光の使用に限定されず、赤外線（ＩＲ）光を採用してもよい。
【００９４】
いくつかの実施形態では、ディスプレイシステム６００は、ユーザが見えていない（例えば、瞬目またはサッケードに起因して）期間の間、その電流または電力ドレインを低減させてもよい。例えば、ディスプレイの電流ドレインまたは電力使用量は、ディスプレイと関連付けられたディスプレイのための光源（例えば、バックライト）を減光またはオフにすることを含み得る、１つまたはそれを上回る電流ドレインまたは電力低減技法を採用することによって低減されることができる。いくつかの実施形態では、ディスプレイシステム６００の光源（例えば、バックライト）６１４ｂは、減光またはオフにされてもよい。他の実施形態（例えば、バックライトを有していないＯＬＥＤディスプレイを使用するディスプレイシステム）では、電流ドレインまたは電力使用量は、ディスプレイの１つまたはそれを上回るアクティブピクセルを減光またはオフにすることによって低減されてもよい。他のタイプのディスプレイコンポーネントまたはディスプレイは、眼が見えていないとき（例えば、瞬目またはサッケードの間）、オフにされる、減光される、またはより低い電力消費モードに設定されてもよい。
【００９５】
代替または組み合わせにおいて、ディスプレイと関連付けられたグラフィックドライバまたはプロセッサまたは処理電子機器は、いくつかのフレームを「スキップ」する、またはグラフィックドライバが、新しい画像を提供する、または画像をリフレッシュする場合より電力を少なく消費させる状態にある、指定された期間にわたって待機する。例えば、グラフィックドライバは、グラフィックプロセッサに、表示される画像のリフレッシュを一時停止させる、またはディスプレイのリフレッシュレートを低減させ、したがって、通常動作と比較して、より少ない電力を消費させることができる。いくつかの実装では、電流ドレインが低減される、フレームの数または期間は、瞬目またはサッケードの長さに対応するように構成されてもよい。瞬目の期間は、例えば、典型的には、１００〜４００ミリ秒である。
【００９６】
本明細書で議論される電流ドレイン低減技法のいずれかは、独立して、または相互に組み合わせて実施されてもよいことを理解されたい。例えば、いくつかの実施形態では、瞬目またはサッケードの検出に応答して、コントローラ６１２は、バックライト６１４ｂを減光させ、かつグラフィックドライバに、指定された数のフレームをスキップさせてもよい。他の実施形態では、コントローラ６１２は、グラフィックドライバに、バックライト６１４ｂを減光させずに、指定された数のフレームをスキップさせる、またはその逆であってもよい。
【００９７】
図８は、いくつかの実施形態による、電流ドレインまたは電力使用量を低減させるための例示的プロセスのフローチャートを図示する。本フローチャートの任意の部分は、処理電子機器または回路等の電子機器によって実行されてもよい。ブロック８０２では、ディスプレイシステムのユーザが見えていない状態（例えば、ユーザによる瞬目またはサッケード）が検出されるかどうかに関して、判定が行われる。いくつかの実施形態では、これは、ユーザの瞳孔または虹彩が、ビューからブロックされている、または高速移動を被っているかどうかを判定する、眼追跡もしくは内向きに面したカメラまたは他のセンサもしくはセンサシステムを使用して行われてもよい。瞬目またはサッケードが、検出される場合、プロセスは、ブロック８０４に進んでもよい。そうでなければ、プロセスは、例えば、ディスプレイシステムのユーザによる瞬目またはサッケードを検出するために、眼の監視を継続してもよい。
【００９８】
ブロック８０４では、ディスプレイと関連付けられた光源は、減光またはオフにされる。例えば、光源は、低電力モードに入る、または無効にされるように構成されてもよい。いくつかの実施形態では、光源は、バックライト６１４ｂを備えてもよい。他の実施形態では、光源は、ディスプレイ（例えば、ＯＬＥＤディスプレイ）の複数のアクティブピクセルを備えてもよい。他の光源およびディスプレイ構成も、可能性として考えられる。
【００９９】
ブロック８０６では、ディスプレイシステムと関連付けられたグラフィックドライバは、消費される電力の量を低減させてもよい。例えば、グラフィックドライバは、Ｘ数のフレームをスキップする、または期間Ｙにわたって待機してもよく、ＸおよびＹは、瞬目（例えば、１００〜４００ミリ秒）またはサッケードの期間に基づいて判定される。いくつかの実施形態では、グラフィックドライバは、ディスプレイのリフレッシュレートを低減させてもよい。
【０１００】
ブロック８０８では、ディスプレイと関連付けられた光源（例えば、バックライト６１４ｂ、ディスプレイのアクティブピクセル、および／または同等物）またはディスプレイの他のコンポーネントは、オンに戻される、または減光解除され、ディスプレイシステムは、通常動作を再開する。本フローチャートに図示されるプロセスは、実施例であって、そのステップは、除外される、追加される、および／または並べ替えられてもよいことを理解されたい。
【０１０１】
図８は、ディスプレイと関連付けられた光源を減光／オフにすることと（ブロック８０４、８０８）、グラフィックドライバまたはプロセッサの電力消費を低減させることと（ブロック８０６）の両方を図示するが、他の実施形態では、ディスプレイシステム６００は、電流ドレインまたは電力低減技法の任意の組み合わせを実施してもよいことを理解されたい。例えば、いくつかの実施形態では、ディスプレイシステム６００は、ディスプレイの光源を減光／オフにすることのみ、グラフィックドライバまたはプロセッサの電力消費を低減させることのみ（例えば、フレームをスキップする、リフレッシュレートを低減させる、および／または同等物）、または両方を実施してもよい。電力節約はまた、他のコンポーネントから生じてもよい。例えば、空間光変調器または１つもしくはそれを上回る走査ファイバもしくは走査ファイバディスプレイデバイスをより低い電力状態に設定することもまた、電力消費を低減させることができる。
【０１０２】
平均的な人は、２〜１０秒に約１回、１００〜４００ミリ秒の期間にわたって瞬目する。したがって、より低頻度のシナリオでは、眼は、時間の約１％にわたって閉鎖される。より典型的シナリオに関して、眼は、時間の２％〜５％にわたって閉鎖されるであろう。したがって、数パーセントの低減が、可能性として、光源（例えば、バックライトまたはアクティブピクセル）および／またはグラフィックドライバ／プロセッサを使用してディスプレイを点灯することと関連付けられた電流ドレインにおいて達成されることができる。
【０１０３】
本発明の種々の例示的実施形態が、本明細書で説明される。非限定的な意味で、これらの実施例を参照する。それらは、本発明のより広く適用可能な側面を例証するように提供される。種々の変更が、説明される本発明に行われてもよく、本発明の精神および範囲から逸脱することなく、均等物が置換されてもよい。例えば、有利には、複数の深度平面を横断して画像を提供する、ＡＲディスプレイとともに利用されるが、本明細書に開示される拡張現実コンテンツはまた、画像を単一深度平面上に提供するシステムによって表示されてもよい。
【０１０４】
特定の状況、材料、組成物、プロセス、プロセスの行為またはステップを、本発明の目的、精神、または範囲に適合させるように、多くの修正が行われてもよい。さらに、当業者によって理解されるように、本明細書で説明および図示される個々の変形例のそれぞれは、本発明の範囲または精神から逸脱することなく、他のいくつかの実施形態のうちのいずれかの特徴から容易に分離され得るか、またはそれらと組み合わせられ得る、離散構成要素および特徴を有する。全てのそのような修正は、本開示と関連付けられる請求項の範囲内であることを目的としている。
【０１０５】
本発明は、本デバイスを使用して行われ得る方法を含む。本方法は、そのような好適なデバイスを提供する行為を含んでもよい。そのような提供は、ユーザによって行われてもよい。換言すると、「提供する」行為は、本方法において必要デバイスを提供するために、取得する、アクセスする、接近する、位置付ける、設定する、起動する、電源投入する、または別様に作用するようにユーザに要求するにすぎない。本明細書に記載される方法は、論理的に可能である記載された事象の任意の順序で、ならびに事象の記載された順序で実行されてもよい。
【０１０６】
本発明の例示的側面が、材料選択および製造に関する詳細とともに、上記で記載されている。本発明の他の詳細に関して、これらは、上記の参照された特許および公開に関連して理解されるとともに、概して、当業者によって把握または理解され得る。同じことが、一般的または理論的に採用されるような付加的な行為の観点から、本発明の方法ベースの側面に関して当てはまり得る。
【０１０７】
加えて、本発明は、種々の特徴を随意に組み込む、いくつかの実施例を参照して説明されているが、本発明は、本発明の各変形例に関して考慮されるように説明または指示されるものに限定されるものではない。種々の変更が、説明される本発明に行われてもよく、本発明の真の精神および範囲から逸脱することなく、（本明細書に記載されるか、またはいくらか簡潔にするために含まれないかどうかにかかわらず）均等物が置換されてもよい。加えて、値の範囲が提供される場合、その範囲の上限と下限との間の全ての介在値、およびその規定範囲内の任意の他の規定または介在値が、本発明内に包含されることが理解される。
【０１０８】
また、本明細書で説明される発明の変形例の任意の随意的な特徴が、独立して、または本明細書で説明される特徴のうちのいずれか１つまたはそれを上回る特徴と組み合わせて、記載および請求され得ることが考慮される。単数形の項目の言及は、複数の同一項目が存在する可能性を含む。より具体的には、本明細書で、およびそれに関連付けられる請求項で使用されるように、「１つの（ａ、ａｎ）」、「該（ｓａｉｄ）」、および「該（ｔｈｅ）」という単数形は、特に別様に記述されない限り、複数の指示対象を含む。換言すると、冠詞の使用は、上記の説明ならびに本開示と関連付けられる請求項で、対象項目の「少なくとも１つ」を可能にする。さらに、そのような請求項は、任意の随意的な要素を除外するように起草され得ることに留意されたい。したがって、この記述は、請求項要素の記載に関連する「だけ」、「のみ」、および同等物等のそのような排他的用語の使用、または「否定的」制限の使用のための先行詞としての機能を果たすことを目的としている。
【０１０９】
そのような排他的用語を使用することなく、本開示と関連付けられる請求項での「備える」という用語は、所与の数の要素がそのような請求項で列挙されるか、または特徴の追加をそのような請求項に記載される要素の性質を変換するものと見なすことができるかどうかにかかわらず、任意の付加的な要素の包含を可能にするものとする。本明細書で特に定義される場合を除いて、本明細書で使用される全ての技術および科学用語は、請求項の有効性を維持しながら、可能な限り広義の一般的に理解されている意味を与えられるものである。
【０１１０】
本発明の範疇は、提供される実施例および／または本明細書に限定されるものではなく、むしろ、本開示と関連付けられる請求項の範囲のみによって限定されるものとする。
【図１】
2020109522.tif 000003
【図２】
2020109522.tif 000004
【図３】
2020109522.tif 000005
【図４】
2020109522.tif 000006
【図５】
2020109522.tif 000007
【図６】
2020109522.tif 000008
【図７】
2020109522.tif 000009
【図８】
2020109522.tif 000010
【外国語明細書】
2020109522000001.pdf